(57)【特許請求の範囲】
【請求項１】
身体に装着するために用いる装身用成形体であって、表面層部と裏面層部とを中間中空層部を構成する表面層部と裏面層部に対して直交する連繋糸を有さずＸ字形状に交差する連繋糸で互いに接続した立体中空状の布地を、所定の形状にモールド成型することにより形成し、前記表面層部は、モールド成型時に熱セット性が高く、且つ少なくとも裏面層部より膨出性が高い組織及び糸使いとするとともに、前記裏面層部は、モールド成型時に表面層部に比べて高い熱量で成形される保形性の高い組織及び糸使いとし、更に表面層部及び裏面層部の少なくとも一方の表面の一部のみを、他の布地で被覆し、前記中間中空層部は、張力や弾性が高いポリエステル系のモノフィラメント糸を使用し、前記Ｘ字形状の連繋糸は、７０度〜９０度、９０度〜１１０度の範囲でＸ字形状に交差するように接続されているとともに、前記Ｘ字形状の連繋糸の太さとしては、５０〜７００デニールの繊維を使用したことを特徴とする装身用成形体。
【請求項２】
前記立体中空状の布地が、２層又は３層以上の多層構造となっていることを特徴とする請求項１に記載の装身用成形体。
【発明の詳細な説明】
【０００１】
【発明の属する技術分野】
この発明は、衣料用の各種パッドや、ブラジャー・ボデイスーツ等の女性用衣服の一部又は全部を構成する装身用成形体に関し、特に立体中空状の編織地布を用い、モールド成型等により成形される装身用成形体に関するものである。
【０００２】
【従来の技術】
従来、この種の装身用成形体は、衣料用の乳房パッドや肩パッド等の各種のパッド、あるいはブラジャー、ボデイスーツ、ブラスリップ、キャミソール、ガードル、水着などの女性用衣服等において、乳房や肩などの部位を構成する部品のように、当該女性用衣服などの一部又は全体を構成するものとして、広く使用されている。これらの衣料用の各種パッドや女性用衣服は、乳房や肩などの形を整えたり、プロポーションを美しく見せるため、ブラジャーやボデイスーツ等の胸部や肩部等に、モールド成型などにより成形された乳房パッドや肩パッド等を装着したり、乳房受けカップ等を構成する部品を、モールド成型などにより成形するように構成されている。
【０００３】
そして、このような衣料用の各種パッドや女性用衣服等の一部又は全部を構成する装身用成形体としては、例えば、ポリウレタン発泡体、ポリエチレン発泡体、ポリ塩化ビニル発泡体等の種々の合成樹脂発泡体をそのまま所定の形状にモールド成型等により成形したものや、これらの合成樹脂発泡体で形成した芯体の表面を適当な不織布や生地等からなる表地で被覆したもの、あるいはファイバーフィルのシート体を芯体として所定の形状にモールド成型等により成形したものなどが使用されている。
【０００４】
【発明が解決しようとする課題】
しかしながら、上記従来技術の場合には、次のような問題点を有している。すなわち、上述した従来の装身用成形体のうち、前者のポリウレタン等の合成樹脂発泡体を用いた装身用成形体の場合には、合成樹脂発泡体が黄変しやすいばかりか通気性の点で劣り、長期間白色性を維持するのが困難であったり、高温高湿環境下等において衣服内気候を快適に維持するのが困難であるという問題点を有していた。
【０００５】
また、上述した従来の装身用成形体のうち、後者のファイバーフィルのシート体を芯体として用いた装身用成形体の場合には、シート体を構成する繊維が横に寝てしまうため、保形性の点で劣り、乳房等の形状を美しく創出するのが困難であるという問題点を有していた。
【０００６】
そこで、この発明は、上記従来技術の問題点を解決するためになされたものであり、その目的とするところは、黄変したりすることなく通気性にも優れ、かつ所定の形状を長期間維持することができ、保形性に優れた装身用成形体を提供することにある。
【０００７】
【課題を解決するための手段】
【００１０】
上記の課題を解決するために、請求項１に記載の発明は、身体に装着するために用いる装身用成形体であって、表面層部と裏面層部とを中間中空層部を構成する表面層部と裏面層部に対して直交する連繋糸を有さずＸ字形状に交差する連繋糸で互いに接続した立体中空状の布地を、所定の形状にモールド成型することにより形成し、前記表面層部は、モールド成型時に熱セット性が高く、且つ少なくとも裏面層部より膨出性が高い組織及び糸使いとするとともに、前記裏面層部は、モールド成型時に表面層部に比べて高い熱量で成形される保形性の高い組織及び糸使いとし、更に表面層部及び裏面層部の少なくとも一方の表面の一部のみを、他の布地で被覆し、前記中間中空層部は、張力や弾性が高いポリエステル系のモノフィラメント糸を使用し、前記Ｘ字形状の連繋糸は、７０度〜９０度、９０度〜１１０度の範囲でＸ字形状に交差するように接続されているとともに、前記Ｘ字形状の連繋糸の太さとしては、５０〜７００デニールの繊維を使用したことを特徴とするものである。
【００１１】
又、請求項２に記載の発明は、前記立体中空状の布地が、２層又は３層以上の多層構造となっていることを特徴とする請求項１に記載の装身用成形体である。
【００１２】
なお、上記立体中空状の布地としては、立体二重編機等によって編成された編地布が用いられるが、これに限定されるものではなく、織地布からなるものを用いても勿論よい。
【００１３】
また、この発明に係る装身用成形体は、例えば、衣料用の乳房パッドや肩パッド等の各種のパッド、あるいはブラジャー、ボデイスーツ、ブラスリップ、キャミソール、ガードル、水着などの女性用衣服等の製品において、その芯体として用いられるが、これに限らず、衣料用の乳房パッドや肩パッド等の各種のパッド、あるいはブラジャー、ボデイスーツ、ブラスリップ、キャミソール、ガードル、水着などの女性用衣服等の製品そのものとして用いても良いことは勿論である。
【００１４】
【作用】
この発明の装身用成形体によれば、身体に装着するために用いる装身用成形体であって、表面層部と裏面層部とを中間中空層部を構成する連繋糸で互いに接続した立体中空状の布地を、所定の形状に加熱圧縮成形することにより形成されるように構成したので、装身用成形体を形成する布地自体が立体中空状の布地であるため、合成樹脂発泡体を使用した場合のように黄変したりすることがなく、しかも立体中空状の布地は、表面層部と裏面層部とを連繋糸で互いに接続した中間中空層部を具えており、通気性にも非常に優れ、更に表面層部や裏面層部、あるいは中間中空層部を形成する繊維として熱セット性に優れた繊維を使用することにより、所定の形状を長期間維持することができ、保形性に優れた装身用成形体を提供することができる。
【００１５】
【発明の実施の形態】
以下にこの発明を図示の実施の形態に基づいて説明する。
【００１６】
実施の形態１
図２はこの発明の実施の形態１に係る装身用成形体を適用したブラジャーを示すものである。
【００１７】
図２において、１は女性用下着としてのブラジャーを示すものであり、このブラジャー１は、女性のバストをそれぞれ覆う装身用成形体としての左右のカップ部２、３を備えている。これらの左右のカップ部２、３は、当該左右のカップ部２、３の下側に縫着された下辺連結布４によって、一体的に連結されており、この下辺連結布４の左右両側には、女性の体の背面側で互いに係止される図示しない左右の側布がそれぞれ縫着されている。これら左右の側布の先端部には、フックやアイ等からなる図示しない係止具が、縫着等の手段によって取り付けられている。また、上記左右のカップ部２、３の三角形状に形成された上端部には、女性の肩に掛けるストラップ５、６がそれぞれ装着されている。
【００１８】
上記左右のカップ部２、３は、図３に示すように、合成繊維からなる立体中空状の編地布７をモールド成型することによって、女性の体のバストの形状に合うよう、バストトップ部にかけて略円錐形状に形成されている。また、上記立体中空状の編地布７は、図１及び図４に示すように、立体二重編機を用いたダブルラッセル編等によって３層構造に形成されている。この立体中空状の編地布７は、カップ部２、３の表面側に位置し、凸側の面を構成する部分である表面層部８と、カップ部２、３の裏面側に位置し、凹側の面を構成する部分である裏面層部９と、表面層部８と裏面層部９とをＸ字形状の連繋糸１０で接続するとともに、カップ部２、３の空間を構成する部分である中間中空層部１１とから構成されている。なお、上記中間中空層部１１を構成するＸ字形状の連繋糸１０は、図４（ａ）に示すように直線状に設けても、図４（ｂ）に示すように曲線状に設けてもどちらでも良い。また、上記立体中空状の編地布７は、図４に示すように、２層構造であっても、図５に示すように、中間中空層部１１を仕切り部１２によって仕切り、３層構造またはそれ以上の多層構造としてもよい。
【００１９】
上記立体中空状の編地布７の表面層部８は、図６に示すように、モールド成型等の熱成形時に、熱セット性が高い組織及び糸使いとし、少なくとも裏面層部１１より膨出性が高く、製品としてのブラジャー１の表面を構成するのに相応しい組織及び糸使いとするのが望ましい。この表面層部８は、例えば、熱セット性が高いタテ（経）編みのラッセル編やトリコット編等によって形成され、当該表面層部８を構成する糸としては、例えば、ポリエステル系糸やポリアミド系糸等が使用される。また、裏面層部９は、モールド成型等の熱成形時の成形性が、表面層部８側に比べて熱量等の点で同じか又はそれ以上で保形性の高い組織及び糸使いとするとともに、着用感を考慮して、綿糸等を交編した組織及び糸使いとするのが望ましい。この裏面層部９は、例えば、保形性が高いタテ編のラッセル編やトリコット編等によって形成され、当該裏面層部９を構成する糸としては、例えば、ポリエステル系糸やポリアミド系糸等が使用されると同時に、吸汗性を高めるために綿糸やキュプラ糸等を混入し、又は交編することが望ましい。また、肌当たりを良くするために、ウーリー糸等の使用も望ましい。さらに、中間中空層部１１は、少なくとも製品として必要とする立体的な空間を成形時並びに製品として維持できる構成となっており、表面層部８を支持する張力及び弾性を高める組織及び糸使いとするのが望ましい。この中間中空層部１１は、例えば、張力や弾性が高いポリエステル系のモノフィラメント糸等が使用されるが、使用糸のデニールによって連繋糸１０の密度は当然異なるため限定できないが、ブラジャー等の製品としての表裏を構成する密度レベルとすることが望ましい。これらの中間中空層部１１の密度は、通気性を要求するものであれば相対的に低く設定され、保温性や成形性を要求するものであれば相対的に高く設定される。
【００２０】
上記中間中空層部１１を構成する連繋糸１０の走りは、表面層部８と裏面層部９を接続するものであり、これら表面層部８及び裏面層部９に対して、直角望ましくは成形時の圧力に当該表面層部８及び裏面層部９の表層及び直角点がズレを発生しないように、７０度〜９０度、９０度〜１１０度の範囲でＸ字形状に交差するように接続するのが望ましい。また、上記中間中空層部１１を構成する連繋糸１０は、当該空間の保形性及び凸形状の弾力性、製品が必要とする体形の補正機能等の性能を満足するため、ポリエステル等の熱成形性の高い材質及びデニールを選ぶように設定されている。この連繋糸１０の太さとしては、例えば、５０〜７００デニールの繊維が使用される。
【００２１】
さらに、上記中間中空層部１１を構成する連繋糸１０の走りは、上述したように、Ｘ字形状に交差するように接続するのが望ましい。これは、図７に示すように、中間中空層部１１を構成する連繋糸１０を表面層部８及び裏面層部９に対して直交するように配置した場合には、モールド成型する際に、連繋糸１０が押圧力によって寝てしまい、所定の立体的な形状を維持するのが困難であるためである。
【００２２】
また、上記表面層部８、裏面層部９及び中間中空層部１１を構成する編糸の太さは、上述したように、目的とする成形体のソフト性や繊細性、又はハード性や目粗な状況などの求める条件に合わせて選択設計され、モノフィラメント糸又はマルチフィラメント糸のいずれでも良い。しかしながら、上記中間中空層部１１を構成する連繋糸１０には、張力及び弾性が求められるため、モノフィラメント糸を使用するのが望ましい。
【００２３】
このように、上記ブラジャー１のカップ部２、３等の成形体は、多くが成形部（凸状部）に張力及び弾性が求められることから、連繋糸１０としてより強度の高いもの又は硬度の高いもの、あるいはモノフィラメント糸を使用するのが望ましい。
【００２４】
そのため、カップ部２、３等の成形体の切断面から連繋糸１０が突出する虞れがある場合には、肌の刺激を防止する目的で、切断面から連繋糸１０が突出するのを防止できる密度と強度のある素材で縫い包むか、あるいは図８に示すように、切断面をカバーする包装帯（パイピング）１５を設けるのが望ましい。
【００２５】
なお、上記表面層部８及び裏面層部９、特に女性の体に直接接触する裏面層部９には、綿糸等を使用するのが望ましい。また、上記表面層部８及び裏面層部９は、ダブルラッセル編でも、トリコット編み等でもよい。上記Ｘ字形状の中間中空層部１１の厚みは、例えば、１〜１０ｍｍ程度に設定されるが、これより薄くても厚くてもよいことは勿論である。
【００２６】
このブラジャー１のカップ部２、３の製造は、先ず、立体中空状の編地布７を所定の大きさ及び形状にカットする。ここで、上記立体中空状の編地布７をカットする形状としては、成形形状に合わせてカットするのが前提であり、例えば、絞りの深い形状のものは、成形性を高めると同時に必要とする形状に容易に創出するための引込み量を計算して、余裕のある大きさ及び形状とする。また、プレス成形機の被成形編地の固定方式（押さえ）にあった形状とすること、さらには成形の製品形状が例えばブラジャーの身頃を一体とする場合の形状では、プレス成形機の機能にもよるが、ほぼ製品形状にカットする。そして、このようにカットされた又はほぼ製品化された立体中空状の編地布７を、図９に示すようにプレス成形機１６にセットし、所定の条件で加熱圧縮成形してカップ部２、３を成形することにより製造する。
【００２７】
以上の構成において、この実施の形態に係る装身用成形体を適用したブラジャーの場合には、次のようにして、黄変したりすることなく通気性にも優れ、かつ所定の形状を長期間維持することができ、保形性に優れた装身用成形体を提供することが可能となっている。
【００２８】
すなわち、この実施の形態に係る装身用成形体を適用したブラジャー１は、図１及び図２に示すように、左右のカップ部２、３が、表面層部８と裏面層部９とを中間中空層部１１を構成する連繋糸１０で互いに接続した立体中空状の布地７を、所定の形状に加熱圧縮成形することにより形成されるように構成したので、左右のカップ部２、３を形成する布地自体が立体中空状の布地７であるため、非黄変性の高いポリエステル素材等を適宜に選択して構成できるものであることから、現在使用されている合成樹脂発泡体（主にポリウレタン）より黄変することも無く、しかも立体中空状の布地７は、表面層部８と裏面層部９とを連繋糸１０で互いに接続した中間中空層部１１を具えており、通気性にも非常に優れ、更に表面層部８や裏面層部９、あるいは中間中空層部１１を形成する繊維として熱セット性に優れた繊維を使用することにより、所定の形状を長期間維持することができ、保形性に優れた左右のカップ部２、３を提供することができる。
【００２９】
実施の形態２
図１０はこの発明の実施の形態２を示すものであり、前記実施の形態１と同一の部分には同一の符号を付して説明すると、この実施の形態２では、図１０に示すように、装身用成形体として、ブラジャー１のカップ部２、３のみではなく、左右のカップ部２、３及びこれらを互いに連結する下辺連結布４の部分までが、立体中空状の布地７によって一体的に形成されている。
【００３０】
上記ブラジャー１のカップ部２、３を構成する立体中空状の編地布７は、図１１（ａ）に示すように、モールド成型によって、カップ部２、３の表面側に位置し、凸側の面を構成する部分である表面層部８と、カップ部２、３の裏面側に位置し、凹側の面を構成する部分である裏面層部９と、表面層部８と裏面層部９とをＸ字形状の連繋糸１０で接続するとともに、カップ部２、３の空間を構成する部分である中間中空層部１１とから構成されている。また、上記ブラジャー１の下辺連結布４を構成する立体中空状の編地布７は、図１１（ｂ）に示すように、一定の厚さにカップ部成形時に圧縮成形するため、原布の厚さそのもので形成されている。なお、図１１（ａ）には、図示しない下辺連結布４が延設されている。また、図１１（ａ）の断面そのもので製品を構成する場合には、同図に示すように、上・下辺の各縁には仕上テープイ、ロ（加へテープ等）によって仕上げられる。さらに、カップ部２、３の輪郭部には、図１１（ａ）に示すように、バスト保形のためのボーン（ハ）がチューブ帯にカバーされた状態で縫い止めするように構成しても良い。こうすることによって、カップ部２、３の保形性をより一層高めることができる。
【００３１】
また、この実施の形態の変形例としては、図１２に示すように、左右のカップ部２、３と下辺連結布４のすべてを一体的に立体中空状の編地布７によって形成するのではなく、図１１の断面形状に類似した断面形状を有する左右のカップ部２、３の下側の一部と下辺連結布４の一部を含む部分の成型体２０を、立体中空状の編地布７によって一体的に形成するように構成し、バストの補正効果を高めるようになっている。
【００３２】
その他の構成及び作用は、前記実施の形態１と同様であるので、その説明を省略する。
【００３３】
実施の形態３
図１３はこの発明の実施の形態３を示すものであり、前記実施の形態１と同一の部分には同一の符号を付して説明すると、この実施の形態３では、身体に装着するために用いる装身用成形体であって、表面層部と裏面層部とを中間中空層部を構成する連繋糸で互いに接続した立体中空状の布地を、所定の形状に加熱圧縮成形することにより形成し、且つ表面層部及び裏面層部の少なくとも一方の一部又は全部を、布地の組織密度又は糸の種類を他と異ならせるように構成されている。
【００３４】
すなわち、この実施の形態３では、図１３に示すように、ブラジャー１においてカップ部２、３の上端部３０の表面及び裏面層部共に所定の幅に渡ってメッシュ地の編組織となっており、通気性を更に高めるように構成されている。その際、上記カップ部２、３の上端部３０をメッシュ地編目とし、それ以外の部分をトリコット編目等に設計する等の配設（デザイン）や表裏の組織の組合せ等は限定するものではなく、高度のそれぞれの付加価値を高めるために、弾性的部分と非弾性的部分の配設、透明的な部分と非透明的な部分の配設、ソフトな部分とハードな部分の配設等がされても良く、さらにこれらの配設（デザイン）は、表面層と裏面層とで適宜組合せても良いものである。
【００３５】
また、上記ブラジャー１においてカップ部２、３の外側の下端部分３１は、平編又は平織組織となっており、肌当たりが良好となっている。
【００３６】
その他の構成及び作用は、前記実施の形態１と同様であるので、その説明を省略する。
【００３７】
実施の形態４
図１４及び図１５はこの発明の実施の形態４を示すものであり、前記実施の形態１と同一の部分には同一の符号を付して説明すると、この実施の形態４では、身体に装着するために用いる装身用成形体であって、表面層部と裏面層部とを中間中空層部を構成する連繋糸で互いに接続した立体中空状の布地を、所定の形状に加熱圧縮成形することにより形成し、且つ表面層部及び裏面層部の少なくとも一方の表面を、他の布地で被覆するように構成されている。
【００３８】
すなわち、この実施の形態４では、図１４に示すように、ブラジャー１のカップ部２、３の表面が、綿、ナイロン、ポリエステル、アセテート又はこれらの混紡等の織編物や不織布等からなる表地４０によって覆われている。この表地としては、適宜刺繍等を施した布地を使用することにより、装飾性を高めることができる。なお、ブラジャー１のカップ部２、３の裏面のみを布地で覆うように構成しても勿論よい。
【００３９】
また、この実施の形態４では、図１５に示すように、ブラジャー１のカップ部２、３の表面及び裏面を、綿、ナイロン、ポリエステル、アセテート又はこれらの混紡等の織編物や不織布等からなる表地４０及び裏地４１によって覆うように構成しても良い。このように、ブラジャー１のカップ部２、３の表面及び裏面を、表地４０及び裏地４１で覆うことにより、裏地４１として肌当たりがよい素材や吸湿性に優れた素材を使用ことで、装着感を一層向上させることができる。上記表地４０や裏地４１は、例えば、接着剤等によってカップ部２、３の表面及び裏面に固着される。
【００４０】
この実施の形態４については、この立体中空状の編地布７を成形する時に、表地４０及び／又は裏地４１を同時成形する（先にコーテイングしておき）ものであるが、これに限定されるものではなく、表地４０及び／又は裏地４１は先にコーテイングしなくとも良いし、又、別に成形したものを重ね合わせても良い。
【００４１】
なお、この実施の形態４では、立体中空状の編地布７が製品の芯体だけでなく、ブラジャー等の製品の表面としての役割を持つことを意味するものであり、当然芯体とした場合には、全く別にパターン化された素材が表面及び／又は裏面に縫い止めされる。
【００４２】
また、図１６に示すように、ブラジャー１のカップ部２、３の表面及び／又は裏面の外側の下方部分のみを、綿、ナイロン、ポリエステル、アセテート又はこれらの混紡等の織編物や不織布等からなる当布４２によって覆うことにより、カップ部２、３の補正（工学的）力を高めたり、吸汗性を高めることができる。
【００４３】
その他の構成及び作用は、前記実施の形態１と同様であるので、その説明を省略する。
【００４４】
【発明の効果】
この発明は、以上説明したように、身体に装着するために用いる装身用成形体であって、表面層部と裏面層部とを中間中空層部を構成する連繋糸で互いに接続した立体中空状の布地を、所定の形状に加熱圧縮成形することにより形成されるように構成したので、装身用成形体を形成する布地自体が立体中空状の布地であるため、合成樹脂発泡体を使用した場合のように黄変したりすることがなく、しかも立体中空状の布地は、表面層部と裏面層部とを連繋糸で互いに接続した中間中空層部を具えており、通気性にも非常に優れ、更に表面層部や裏面層部、あるいは中間中空層部を形成する繊維として熱セット性に優れた繊維を使用することにより、所定の形状を長期間維持することができ、保形性に優れた装身用成形体を提供することができる。
また、この発明においては、表面層部と裏面層部とを中間中空層部を構成する表面層部と裏面層部に対して直交する連繋糸を有さずＸ字形状に交差する連繋糸で互いに接続した立体中空状の布地を使用しているので、表面層部と裏面層部に対して直交するように配置した場合のように、当該布地を所定の形状にモールド成型などにより加熱圧縮成形する際に、表面層部と裏面層部に対して直交する連繋糸が押圧力によって寝てしまい、所定の立体的な形状を維持することが困難になることがない。
さらに、この発明においては、装身用成形体を構成する表面層部及び裏面層部の少なくとも一方の一部のみを、布地の組織密度又は糸の種類を他と異ならせるように構成したので、部分的に通気性を満足しつつ、他の部分では保形性に優れた装身用成形体を提供することができる。
また更に、この発明においては、装身用成形体を構成する表面層部及び裏面層部の少なくとも一方の表面の一部のみを、他の布地で被覆したので、部分的に補正力を高めつつ、他の部分では吸汗性を高めることが可能な装身用成形体を提供することができる。
【図面の簡単な説明】
【図１】  図１はこの発明の実施の形態１に係る装身用成型体を適用したブラジャーのカップ部を示す断面図である。
【図２】  図２はこの発明の実施の形態１に係る装身用成型体を適用したブラジャーを示す構成図である。
【図３】  図３はこの発明の実施の形態１に係る装身用成型体を適用したブラジャーのカップ部を示す平面図である。
【図４】  図４は立体中空状の布地を示す断面図である。
【図５】  図５は立体中空状の布地を示す断面図である。
【図６】  図６は立体中空状の布地を示す断面図である。
【図７】  図７は立体中空状の布地を示す断面図である。
【図８】  図８はこの発明の実施の形態１に係る装身用成型体を適用したブラジャーのカップ部の処理例を示す説明図である。
【図９】  図９はこの発明の実施の形態１に係る装身用成型体を適用したブラジャーのカップ部の製造装置を示す断面図である。
【図１０】  図１０はこの発明の実施の形態２に係る装身用成型体を適用したブラジャーを示す構成図である。
【図１１】  図１１はこの発明の実施の形態２に係る装身用成型体を適用したブラジャーのカップ部を示す断面図である。
【図１２】  図１２はこの発明の実施の形態２に係る装身用成型体を適用したブラジャーのカップ部の変形例を示す説明図である。
【図１３】  図１３はこの発明の実施の形態３に係る装身用成型体を適用したブラジャーのカップ部を示す説明図である。
【図１４】  図１４はこの発明の実施の形態４に係る装身用成型体を適用したブラジャーのカップ部を示す断面図である。
【図１５】  図１５はこの発明の実施の形態４に係る装身用成型体を適用したブラジャーのカップ部を示す断面図である。
【図１６】  図１６はこの発明の実施の形態４に係る装身用成型体を適用したブラジャーのカップ部の変形例を示す説明図である。
【符号の説明】
１：ブラジャー、２、３  左右のカップ部、４  下辺連結布、７  立体中空状の編地布、８  表面層部、９  裏面層部、１０  連繋糸、１１  中間中空層部。
【図１】
0003686541.tif 000002
【図２】
0003686541.tif 000003
【図３】
0003686541.tif 000004
【図４】
0003686541.tif 000005
【図５】
0003686541.tif 000006
【図６】
0003686541.tif 000007
【図７】
0003686541.tif 000008
【図８】
0003686541.tif 000009
【図９】
0003686541.tif 000010
【図１０】
0003686541.tif 000011
【図１１】
0003686541.tif 000012
【図１２】
0003686541.tif 000013
【図１３】
0003686541.tif 000014
【図１４】
0003686541.tif 000015
【図１５】
0003686541.tif 000016
【図１６】
0003686541.tif 000017